Podtech/llm-jp-corpus-v4-ja_patent huggingface dataset:
【手続補正書】
【提出日】平成16年7月15日(2004.7.15)
【手続補正１】
【補正対象書類名】明細書
【補正対象項目名】特許請求の範囲
【補正方法】変更
【補正の内容】
【特許請求の範囲】
【請求項１】
メモリのポインタ以降の領域から要求されたサイズの空ブロックを割り当てる割当手段と、
該割当手段による割当後に前記ポインタを当該割り当てられたブロックの直後の位置に更新する更新手段と、
所定動作の実行後に前記ポインタを前記メモリの先頭位置へ初期化する初期化手段とを備えることを特徴とする情報処理装置。
【請求項２】
撮影手段を更に備え、前記所定動作は当該撮影手段による撮影動作であることを特徴とする請求項１に記載の情報処理装置。
【請求項３】
録音手段を更に備え、前記所定動作は当該録音手段による録音動作であることを特徴とする請求項１に記載の情報処理装置。
【請求項４】
プロセス間で共有データのバインディングを行う情報処理装置であって、
共有データを登録する登録手段と、
該登録手段により登録された共有データを検索する検索手段と、
該検索手段による検索の結果、目的の共有データが登録されていない場合に当該検索手段を休眠状態へと移行させ、当該目的の共有データが登録された時に当該検索手段を実行可能状態へ復帰させる制御手段とを備えることを特徴とする情報処理装置。
【請求項５】
前記制御手段が、前記検索手段が休眠状態に移行してから所定時間経過しても前記目的の共有データが登録されなかった場合に、当該検索手段を実行可能状態へ復帰させることを特徴とする請求項４に記載の情報処理装置。
【請求項６】
前記登録手段による共有データの登録と、前記検索手段による共有データの検索とを不可分な動作として行うようにロックするロック手段を有することを特徴とする請求項４に記載の情報処理装置。
【請求項７】
外部記憶媒体の挿入時に、特定のファイル名のファイルが外部記憶媒体に存在すれば該ファイルを内蔵メモリへコピーするコピー手段と、
前記外部記憶媒体の脱着時に、当該外部記憶媒体から前記コピー手段によりコピーされたファイルを消去することを特徴とする情報処理装置。
【請求項８】
前記特定のファイル名のファイルが実行可能ファイルであり、前記内蔵メモリの当該実行可能ファイルをスタートアップ時に実行するファイル実行手段を有することを特徴とする請求項７に記載の情報処理装置。
【請求項９】
前記実行可能ファイルの実行が終了してから外部イベントに対応した動作を開始することを特徴とする請求項８に記載の情報処理装置。
【請求項１０】
スタートアップルーチンにおいてＩＯポートの特定の入力端子の状態を判別する判別手段と、
該判別手段の判別結果に応じたスタートアップタスクを実行する実行手段とを備えることを特徴とする請求項８に記載の情報処理装置。
【請求項１１】
主電源を使用しているプログラムの数を管理する管理手段と、
該管理手段の管理するプログラムの数が０になったことを検知する検知手段と、
該検知手段による検知から所定時間経過した後に主電源をシャットダウンするシャットダウン手段とを備えることを特徴とする情報処理装置。
【請求項１２】
前記所定時間を動的に設定する設定手段を有することを特徴とする請求項１１に記載の情報処理装置。
【請求項１３】
前記シャットダウン手段が、シャットダウンの処理を少なくとも３つのレイアに分離して、順次実行することを特徴とする請求項１１に記載の情報処理装置。
【請求項１４】
メモリのポインタ以降の領域から要求されたサイズの空ブロックを割り当てる割当工程と、
該割当工程による割当後に前記ポインタを当該割り当てられたブロックの直後の位置に更新する更新工程と、
所定動作の実行後に前記ポインタを前記メモリの先頭位置へ初期化する初期化工程とを備えることを特徴とする情報処理方法。
【請求項１５】
プロセス間で共有データのバインディングを行う情報処理方法であって、
共有データを登録する登録工程と、
該登録工程により登録された共有データを検索する検索工程と、
該検索工程による検索の結果、目的の共有データが登録されていない場合に当該検索手段を休眠状態へと移行させ、当該目的の共有データが登録された時に当該検索手段を実行可能状態へ復帰させる制御工程とを備えることを特徴とする情報処理方法。
【請求項１６】
外部記憶媒体の挿入時に、特定のファイル名のファイルが外部記憶媒体に存在すれば該ファイルを内蔵メモリへコピーするコピー工程と、
前記外部記憶媒体の脱着時に、当該外部記憶媒体から前記コピー工程によりコピーされたファイルを消去することを特徴とする情報処理方法。
【請求項１７】
主電源を使用しているプログラムの数を管理する管理工程と、
該管理工程の管理するプログラムの数が０になったことを検知する検知工程と、
該検知工程による検知から所定時間経過した後に主電源をシャットダウンするシャットダウン工程とを備えることを特徴とする情報処理方法。
【手続補正書】
【提出日】平成16年7月20日(2004.7.20)
【手続補正１】
【補正対象書類名】明細書
【補正対象項目名】００２２
【補正方法】変更
【補正の内容】
【００２２】
式（Ｉ）では、Ｒ1 は水素、またはアルキル基、例えば、炭素数１〜１０の線状もしくは枝状の環状もしくは非環状のアルキル基、好ましくはメチル、エチル、ｎ−プロピル、イソプロピルもしくはブチル基、最も好ましくはエチル基を表す。
Ｒ2 はアリール基またはアルキル基、例えば、パーフルオロアルキル基を表す。このようなアルキル基は、典型的に炭素数１〜２０、通常炭素数１〜４であり、例えばメチル、プロピルおよびドデシル；炭素数１〜２０、典型的に３〜８のパーフルオロアルキル、例えば、トリフルホロメチルもしくはパーフルオロテトラデシル、ヘプタフルオロプロピルもしくはヘプタデシルフルオロオクチル；典型的に炭素数６〜３０の置換もしくは非置換のアリールであって、例えば、１〜４個のハロゲン原子、シアノ基、カルボニル基、カルボンアミド基、スルホンアミド基、カルボキシ基、スルホ基、アルキル基、アリール基、アルコキシ基、アリールオキシ基、アルキルチオ基、アリールチオ基、アルキルスルホニル基もしくはアリールスルホニル基で置換されていてもよいアリール基が挙げられる。好ましくは、Ｒ2 はヘプタフルオロプロピル基、４−クロロフェニル基、３，４−ジクロロフェニル基、４−シアノフェニル基、３−クロロ−４−シアノフェニル基、ペンタフルオロフェニル基、４−カルボンアミドフェニル基、４−スルホンアミドフェニル基、またはアルキルスルホニルフェニル基を表す。
【手続補正２】
【補正対象書類名】明細書
【補正対象項目名】００２３
【補正方法】変更
【補正の内容】
【００２３】
式（Ｉ）において、Ｘはフェニル環のメタまたはパラ位に位置し、各々は独立して線状もしくは枝状の、飽和もしくは不飽和のアルキルもしくはアルケニル基、例えば、メチル、ｔ−ブチル、ドデシル、ペンタデシルまたはオクタデシル；アルコキシ基、例えば、メトキシ、ｔ−ブトキシまたはテトラデシルオキシ；アリールオキシ基、例えば、フェノキシ、４−ｔ−ブチルフェノキシまたは４−ドデシルフェノキシ；アルキルもしくはアリールアシルオキシ基、例えば、アセトキシまたはドデカノイルオキシ；アルキルもしくはアリールアシルアミノ基、例えば、アセトアミド、ベンゾアミド、またはヘキサデカンアミド；アルキルもしくはアリールスルホニルオキシ基、例えば、メチルスルホニルオキシ、ドデシルスルホニルオキシまたは４−メチルフェニルスルホニルオキシ；アルキルもしくはアリールスルファモイルアミノ基、例えば、Ｎ−ブチルスルファモイルアミノまたはＮ−４−ｔ−ブチルフェニルスルファモイルアミノ；アルキルもしくはアリールスルホンアミド基、例えば、メタンスルホンアミド、４−クロロフェニルスルホンアミドまたはヘキサデカンスルホンアミド；ウレイド基、例えば、メチルウレイドまたはフェニルウレイド；アルコキシカルボニルまたはアリールオキシカルボニルアミノ基、例えば、メトキシカルボニルアミノまたはフェノキシカルボニルアミノ；カルバモイル基、例えば、Ｎ−ブチルカルバモイルもしくはＮ−メチル−Ｎ−ドデシルカルバモイル；またはパーフルオロアルキル基、例えば、トリフルオロメチルまたはヘプタフルオロプロピルが挙げられる。好ましくは、Ｘは、炭素数１〜３０、さらに好ましくは炭素数８〜２０の線状の前記の基を表す。最も典型的には、Ｘは炭素数１２〜１８の線状アルキル基、例えば、ドデシル、ペンタデシルまたはオクタデシルを表す。
【手続補正３】
【補正対象書類名】明細書
【補正対象項目名】００２４
【補正方法】変更
【補正の内容】
【００２４】
“ｎ”は１，２または３を表し、ｎが２または３であるならばＸは同一であっても異っていてもよい。
Ｚは、水素原子、または写真技術分野で“カプリング離脱基”として知られているように、発色現像主薬酸化体とのカプラーの反応により離脱することができる基を表す。このような基が存在するかしないかにより、カプラーの化学価、すなわち、２当量カプラーか４当量カプラーかが決まり、それによりカプラーの反応性を改変することができる。このような基は、カプラーからの離脱後、色素形成、色素色相調整、現像促進もしくは現像抑制、漂白促進もしくは漂白抑制、電子移動の容易化、色補正等としての機能を発揮することにより、写真記録材料中のカプラーが塗布されている層、または他の層に有利に影響する。
【手続補正書】
【提出日】平成16年6月28日(2004.6.28)
【手続補正１】
【補正対象書類名】明細書
【補正対象項目名】特許請求の範囲
【補正方法】変更
【補正の内容】
【特許請求の範囲】
【請求項１】
半導体装置のレチクルを検査する方法であって、
データベース特徴形状部を有するレチクル発生データベースを提供する段階、
前記レチクル発生データベースに基づきリソグラフ用レチクルを提供する段階であって、前記リソグラフ用レチクルは前記データベース特徴形状部に対応するレチクル特徴形状部を有する、前記段階、
前記レチクル発生データベースからレチクル検査データベースを発生する段階であって、前記レチクル検査データベースは前記レチクル発生データベースの前記データベース特徴形状部から変更された変更データベース特徴形状部を有し、前記レチクル特徴形状部は前記データベース特徴形状部よりも前記変更データベース特徴形状部によってより緊密に近似して表わされる、前記段階、そして
前記レチクル検査データベースを使用して前記リソグラフ用レチクルを検査する段階、
を具備することを特徴とする半導体装置のレチクルを検査する方法。
【請求項２】
半導体装置をパターニングする方法であって、
複数のデータベース特徴形状部をその中に含んで有するレチクル発生データベースを提供する段階であって、前記複数のデータベース特徴形状部は所定の特徴寸法を有する、前記段階、
前記レチクル発生データベースを使用してリソグラフ用レチクル（２０）を製造する段階であって、前記リソグラフ用レチクルは前記複数のデータベース特徴形状部に対応する複数のレチクル特徴形状部を有する、前記段階、
前記レチクル発生データベースの前記所定の特徴寸法を変更することにより発生される複数の変更データベース寸法を有するレチクル検査データベースを提供する段階であって、前記複数のレチクル特徴形状部は前記レチクル発生データベースよりも前記レチクル検査データベースによってより緊密に近似して表わされる、前記段階、
前記レチクル検査データベースを使用して前記リソグラフ用レチクルを検査する段階、そして
前記リソグラフ用レチクルを使用して半導体基板の上にパターンを作製する段階、
を具備することを特徴とする半導体装置をパターニングする方法。
【請求項３】
前記リソグラフ用レチクルを製造する段階は、
前記リソグラフ用レチクルの上にパターニングされたラインを形成する段階を具備することを特徴とする請求項２に記載の方法。
【請求項４】
前記リソグラフ用レチクルを製造する段階は、
前記リソグラフ用レチクルの上に金属本体部を形成する段階であって、前記金属本体部はある物理的寸法を有する、前記段階、
を具備し、そして
プロセスバイアスのため前記物理的寸法が前記所定の特徴寸法から異なることを特徴とする請求項２に記載の方法。
【請求項５】
前記レチクル検査データベースを提供する段階は、さらに、
変換関数を適用して前記所定の特徴的寸法を変換し前記レチクル検査データベースの前記複数の変更データベース寸法を提供する段階、
を具備することを特徴とする請求項２に記載の方法。
【請求項６】
半導体装置を製造する方法であって、
レチクル発生データベースに基づきレチクル特徴形状部を有するリソグラフ用レチクルを提供する段階であって、前記レチクル発生データベースは前記レチクル特徴形状部に対応するデータベース特徴形状部を規定し、前記リソグラフ用レチクルは前記レチクル発生データベースの前記データベース特徴形状部から発生される変更データベース特徴形状部を規定するレチクル検査データベースを使用して検査され、前記変更データベース特徴形状部は前記データベース特徴形状部よりも前記レチクル特徴形状部により緊密に近似する、前記段階、そして
前記リソグラフ用レチクルを使用して半導体基板の上にパターンを作製する段階、
を具備することを特徴とする半導体装置を製造する方法。
【請求項７】
前記リソグラフ用レチクルを提供する段階は、さらに、前記レチクル発生データベースに変換関数を適用して前記レチクル検査データベースを発生する段階を具備することを特徴とする請求項６に記載の方法。
【手続補正書】
【提出日】平成16年5月20日(2004.5.20)
【手続補正１】
【補正対象書類名】明細書
【補正対象項目名】特許請求の範囲
【補正方法】変更
【補正の内容】
【特許請求の範囲】
【請求項１】
消去可能なプログラム可能な不揮発性メモリセルの制御ゲートにその読出しモードの間に所定の電圧を提供するよう構成された制御ゲートドライバ回路（９００）であって、
第１の電圧基準端子に結合されたゲート電極、第１の電流電極、前記制御ゲートに結合された第２の電流電極、および前記第１の電流電極に結合されたバルク電極を有する所定の導電型のパストランジスタ（９３６）、そして
前記パストランジスタの第１の電流電極に結合された出力端子を有するバイアス回路（９２０）であって、該バイアス回路は前記出力端子に所定の電圧を発生し、前記所定の電圧は前記パストランジスタ（９３６）のしきい値電圧とある増分電圧を加えたものに実質的に等しいもの、
を具備することを特徴とする制御ゲートドライバ回路（９００）。
【請求項２】
前記バイアス回路（９２０）はさらに、
前記第１の電圧基準端子に結合されたゲート電極、前記出力端子に結合された第１の電流電極、前記第１の電圧基準端子に結合された第２の電流電極、およびバルク電極を有する、前記パストランジスタの前記所定の導電型と同じ導電型の、バイアス用トランジスタ（９２５）、そして
前記バイアストランジスタの第１の電流電極に結合された第１の電圧端子、および前記バイアストランジスタの前記バルク電極に結合された第２の電圧電極を有するバルクバイアス回路（９２１，９２２）であって、該バルクバイアス回路は前記第１の電圧基準端子における電圧よりも高い電圧を前記第２の電圧電極に生成するもの、
を具備することを特徴とする請求項１に記載の制御ゲートドライバ回路。
【請求項３】
さらに、
第１のプログラミング電圧を提供するための基準端子を有する第１のプログラム電圧源（９３０）、
制御電極、前記基準端子に結合された第１の電流電極、および前記制御ゲートをドライブするための第２の電流電極を有する所定の導電型の少なくとも１つのパストランジスタ（９３２，９３４）、
前記少なくとも１つのパストランジスタ（９３２，９３４）の制御電極に結合されたパルス出力端子、およびデータ入力を有し、少なくとも１つのデータ信号を受けるためのパルス回路（９４０）であって、該パルス回路（９４０）は前記パルス出力端子における前記少なくとも１つのデータ信号のパルス化された表現を提供するもの、そして
アドレス信号を受けるためのアドレス入力、および前記パルス回路（９４０）のデータ入力に結合されたデコード出力を有するデコーダ（９５０）であって、該デコーダ（９５０）はプログラムモードの間に前記アドレス入力をデコードするもの、
を具備することを特徴とする請求項１に記載の制御ゲートドライバ回路（９００）。
【請求項４】
前記第１のプログラム電圧源は第１のプログラミング電圧を発生するためのチャージポンプを具備し、該チャージポンプは、
電源電圧端子に接続された電圧入力端子および第１のプログラミング電圧を提供するための電圧出力端子を有する非線形段（１１３０）、であって、該非線形段（１１３０）は複数の直列的に結合された調整電圧倍化段（１１３２，１１３４，１１３６）を備えたもの、そして
前記非線形段（１１３０）の前記電圧出力端子に接続された電圧入力端子、および調整された電圧（消去電圧）を提供するための出力端子を有する線形段（１１５０）、
を具備することを特徴とする請求項３に記載の制御ゲートドライバ回路（９００）。
【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】
コンピュータ・システムにおいて、
ハウジングを有する携帯コンピュータと、
前記携帯コンピュータを受容するドッキング・ステーションであって、前記携帯コンピュータと前記ドッキング・ステーションとの間で接続を行う電気接続経路を含むドッキング・ステーションと、
前記携帯コンピュータ内にあるモデムであって、信号処理回路を含み、更に電話線に直接接続する第１電話ジャックを含み、前記第１電話ジャックおよび前記信号処理回路の間に結合部を有し、前記結合部が、前記第１電話ジャックを前記信号処理回路に結合し、前記電話線および第１電話ジャック上に現れる高電圧を、前記処理回路から分離する第１分離ユニットを含んでいる、モデムと、
第２電話ジャックを含む前記ドッキング・ステーション内にある電話線接続部と、
前記ドッキング・ステーション内にある第２分離部と
からなり、
前記接続経路は、前記ドッキング・ステーションの前記第２電話ジャックを、前記結合部を介して、前記携帯コンピュータ内の前記信号処理回路に結合する
ことを特徴とするコンピュータ・システム。
【請求項２】
携帯コンピュータにおいて、
手動入力部および視覚表示装置を有するハウジングと、
前記携帯コンピュータと、該携帯コンピュータを受容する別個のドッキング・ステーションとの間の接続を行う電気接続経路と、
前記携帯コンピュータ内にあるモデムであって、低電圧で動作する信号処理回路と、電話線に直接接続する第１電話ジャックと、前記電話ジャックおよび前記信号処理回路の間にある結合部とを含み、前記結合部が、前記電話ジャックを前記信号処理回路に結合し、前記電話線および電話ジャック上に現れる高電圧を、前記信号処理回路から分離する分離ユニットを含む、モデムと、
前記電気接続部を経由し、前記結合部からの接続を行い、前記ドッキング・ステーション内に電話線接続を常設する電話信号接続経路と
からなることを特徴とする携帯コンピュータ。
【請求項３】
携帯コンピュータ用のモデムにおいて、
低電圧で動作する信号処理回路と、
前記携帯コンピュータがスタンド・アロン・モードで動作する場合、電話線への直接接続を行う電話ジャックであって、前記低電圧より高い電圧を搬送する前記電話ジャックと、
前記電話ジャックおよび前記信号処理回路の間の結合部であって、前記電話ジャックを前記信号処理回路に結合し、前記電話線および電話ジャック上に現れる前記低電圧より高い電圧を、前記信号処理回路から分離する分離ユニットを含む結合部と、
前記結合部から、前記モデムとは別個のドッキング・ステーション内の常設電話線接続部に電気接続を行う電話線接続経路と
からなることを特徴とするモデム。
【請求項４】
コンピュータ・システム用のドッキング・ステーションにおいて、
携帯コンピュータを受容する、前記ドッキング・ステーションの受容領域と、
前記ドッキング・ステーションおよび前記携帯コンピュータの間の接続を行う電気接続経路と、
電話ジャックと、電話信号を信号処理部に接続するための結合部とを含み、前記ドッキング・ステーション内にある、常設の電話線接続部であって、前記結合部が、前記電話ジャックを前記信号処理部に接続し、電話線及び前記電話ジャックに現れる高電圧を、前記信号処理部の低電圧で動作する回路から分離するようにした、電話線接続部と
からなり、
前記電気接続経路は、前記ドッキング・ステーションの前記結合部を、前記携帯コンピュータ内の信号処理部に接続するよう構成されている
ことを特徴とするドッキング・ステーション。
【請求項５】
携帯コンピュータ用のモデムにおいて、
ハウジングと、
前記ハウジング内に含まれ、少なくとも１つの入力を有する信号処理回路と、
前記ハウジング内に含まれ、前記信号処理回路の入力に接続された出力を有する分離回路と、
前記信号処理回路の前記入力と前記分離回路の前記出力との間のノードに結合されたドッキング結合部と、
前記分離回路の入力に接続された出力を有する電話ジャックと
からなることを特徴とするモデム。
【請求項６】
携帯コンピュータにおいて、
ＣＰＵと、
前記ＣＰＵによってアクセス可能なメモリと、
前記ＣＰＵによってアクセス可能なディスク駆動部と、
前記ＣＰＵによってアクセス可能なモデムであって、信号処理回路及び該信号処理回路に接続された分離回路を含むモデムと、
携帯コンピュータのハウジングであって、前記ＣＰＵ、前記メモリ、前記ディスク駆動部、及び前記モデムが収容されているハウジングと、
前記信号処理回路と前記分離回路との間のノードに接続されたドッキング結合部と、
前記分離回路の入力に接続された出力を有する電話ジャックと
からなることを特徴とする携帯コンピュータ。
【請求項７】
携帯コンピュータ用のドッキング・ステーションにおいて、
ドッキング・ステーションのハウジングに収容された電子回路と、
前記電子回路を携帯コンピュータに電気的に接続するコネクタと、
電話線に接続するための電話ジャックと、
前記電話ジャックと前記コネクタの少なくとも１つのラインとの間に接続された分離回路と
からなることを特徴とするドッキング・ステーション。
【請求項８】
ドッキング・ステーションとともに使用される携帯コンピュータにおいて、
ＣＰＵと、
前記ＣＰＵによってアクセス可能なメモリと、
前記ＣＰＵによってアクセス可能なディスク駆動部と、
前記ＣＰＵによってアクセス可能なモデムであって、少なくとも１つの入力を備えた信号処理回路、及び該信号処理回路の前記入力に接続される出力を有する分離回路を含むモデムと、
前記信号処理回路の前記入力と前記分離回路の前記出力との間のノードに接続されたドッキング結合部であって、前記ドッキング・ステーションのコネクタとコンパチブルなドッキング結合部と、
前記分離回路の出力に接続された電話ジャックと
からなることを特徴とする携帯コンピュータ。
【手続補正書】
【提出日】平成16年12月2日(2004.12.2)
【手続補正１】
【補正対象書類名】明細書
【補正対象項目名】特許請求の範囲
【補正方法】変更
【補正の内容】
【特許請求の範囲】
【請求項１】
画像の輝度の尺度である画素値を有する画素の配列を、空間的に濾波するための濾波方法であって、
（ａ）少なくとも１つの閾値を定義する工程と、
（ｂ）第１、第２のラプラシアン・フィルタを定義する工程と、
（ｃ）画素値を読み取る工程と、
（ｄ）画素値が閾値より大きいかどうかを決定する工程と、
（ｅ）（ｄ）の工程において画素値が閾値より大きいと決定された場合には、この画素値に第１のラプラシアン・フィルタを適用し、その他の場合には、この画素値に第２のラプラシアン・フィルタを適用する工程であって、第１、第２のラプラシアン・フィルタのいずれを適用するかの選択は（ｄ）の工程の決定のみによる工程と、
（ｆ）画素の配列中の全画素に対して、工程（ｃ）から（ｅ）を繰り返す工程と、
を含む濾波方法。
【請求項２】
各画素値がアナログ量であることを特徴とする請求項１に記載の濾波方法。
【請求項３】
各画素値が数値であることを特徴とする、請求項１に記載の濾波方法。
【請求項４】
画像の輝度の尺度である画素値を有する画素の配列を、空間的に濾波するための濾波方法であって、
（ａ）輝度の閾値に対応する少なくとも１つの画素値の閾値を定義する工程と、
（ｂ）第１、第２のラプラシアン・フィルタを定義する工程であって、第１のラプラシアン・フィルタは第２のラプラシアン・フィルタより画素値の空間的な段差を強調しないように選択する工程と、
（ｃ）画素値を読み取る工程と、
（ｄ）画素値が輝度の閾値より大きい輝度に対応する場合に、この画素値に第２のラプラシアン・フィルタを適用する工程と、
（ｅ）画素値が輝度の閾値より小さい輝度に対応する場合に、この画素値に第１のラプラシアン・フィルタを適用する工程と、
（ｆ）画素の配列中の全画素に対して、工程（ｃ）から（ｅ）を繰り返す工程と、
を含む濾波方法。
【請求項５】
各画素値がアナログ量であることを特徴とする請求項４に記載の濾波方法。
【請求項６】
各画素値が数値であることを特徴とする、請求項４に記載の濾波方法。
【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
所定のオブジェクトの形態を変化させながら表示するように構成した画像処理装置において、
前記オブジェクトの一部を構成する第１のポリゴンの情報を記憶する第１のメモリと、  前記オブジェクトの他の一部を構成し、前記第１のポリゴンと連結された第２のポリゴンの情報を記憶する第２のメモリと、
前記オブジェクトの形態を変化させるときに、前記第１のメモリに記憶された第１のポリゴンの情報と前記第２のメモリに記憶された第２のポリゴンの情報とに基づいて、前記第１のポリゴンと前記第２のポリゴンとの間に隙間が生じないように、前記第１のポリゴンの移動に伴い、前記第２のポリゴンの形態を変化させる処理手段と、を備えることを特徴とする画像処理装置。
【請求項２】
前記オブジェクトは前記第１のポリゴンを複数個備え、前記第２のポリゴンは、複数の前記第１のポリゴン間に隙間が生じないように配置される請求項１記載の画像処理装置。
【請求項３】
前記第１のポリゴンと前記第２のポリゴンとは互いに一部の頂点を共有し、
前記第１のポリゴンの情報および前記第２のポリゴンの情報は、前記第１のポリゴンあるいは前記第２のポリゴンのいずれか一方の頂点が、他方の頂点を参照するように表現され、
前記処理手段は、一方のポリゴンの頂点に関する情報を用いて他方のポリゴンを描画する請求項１記載の画像処理装置。
【請求項４】
前記第１のポリゴンの情報および前記第２のポリゴンの情報がそれぞれの頂点の情報を格納するバッファのインデックス値で表現されるとき、前記インデックス値を負の値に設定することにより、頂点の共有を表現する請求項３記載の画像処理装置。
【請求項５】
前記オブジェクトはゲームに登場させる人、動物等であり、前記第２のポリゴンを、前記オブジェクトにおいて屈曲させる屈曲部分に適用する請求項１記載の画像処理装置。
【請求項６】
前記第２のポリゴンを、前記オブジェクトの首に適用する請求項５記載の画像処理装置。
【請求項７】
前記第２のポリゴンを、前記オブジェクトの胸から脇の下にかけての部分に適用する請求項５記載の画像処理装置。
【請求項８】
前記第２のポリゴンを、前記オブジェクトの肘および手首の部分に適用する請求項５記載の画像処理装置。
【請求項９】
前記第２のポリゴンを、前記オブジェクトの足首からつま先にかけての部分に適用する請求項５記載の画像処理装置。
【請求項１０】
前記第１のポリゴン及び前記第２のポリゴンの少なくとも一方に、選択可能なテクスチャデータがマッピングされている請求項５記載の画像処理装置。
【請求項１１】
前記テクスチャデータは、三次元スキャナで得られた人間の顔写真に基づいて生成されたものである請求項１０記載の画像処理装置。
【請求項１２】
前記テクスチャデータは、衣服を模擬したものである請求項１０記載の画像処理装置。
【請求項１３】
所定のオブジェクトの形態を変化させながら表示する画像処理方法において、
前記オブジェクトの形態を変化させるときに、前記画像を構成する第１のポリゴンと連結された第２のポリゴンとの間に隙間が生じないように、前記第１のポリゴンの移動に伴い、前記第２のポリゴンの形態を変化させる処理ステップを備えることを特徴とする画像処理方法。
【請求項１４】
前記第１のポリゴンと前記第２のポリゴンとは互いに一部の頂点を共有し、
前記第１のポリゴンおよび前記第２のポリゴンのうち、いずれか一方の頂点が、他方の頂点を参照するように表現され、
前記処理ステップは、一方のポリゴンの頂点情報を用いて他方のポリゴンを描画する請求項１３記載の画像処理方法。
【請求項１５】
コンピュータに請求項１３又は請求項１４に記載の処理ステップを実行させるためのプログラムを記録した記録媒体。
【請求項１６】
所定のオブジェクトを移動させながら表示できるように構成した画像処理装置において、
前記オブジェクトを構成する、互いに連結された第１の要素、第２の要素、及び第３の要素に関する情報を記憶するメモリと、
前記メモリに記憶された情報に基づいて、前記第１の要素と前記第２の要素とを所定の軸を中心に変形させるとともに、前記第１の要素と前記第２の要素とに基づき前記所定の軸を決定できないときに、前記第２の要素と前記第３の要素の位置関係に基づき処理を行う処理部とを備えることを特徴とする画像処理装置。
【請求項１７】
前記処理部は、前記第１の要素と前記第２の要素を、これらに対する法線を中心に変形させるとともに、前記第１の要素と前記第２の要素とが直線上にあるときに、前記第２の要素と前記第３の要素に対する法線を中心に変形させる請求項１６記載の画像処理装置。
【請求項１８】
所定のオブジェクトを移動させながら表示する画像処理方法において、
前記オブジェクトを構成する、互いに連結された第１の要素、第２の要素、及び第３の要素に関して、前記第１の要素と前記第２の要素とを所定の軸を中心に変形させる第１のステップと、
前記第１の要素と前記第２の要素とに基づき前記所定の軸を決定できないときに、前記第２の要素と前記第３の要素の位置関係に基づき処理を行う第２のステップとを備えることを特徴とする画像処理方法。
【請求項１９】
前記第１のステップは、前記第１の要素と前記第２の要素を、これらに対する法線を中心に変形させ、
前記第２のステップは、前記第１の要素と前記第２の要素とが直線上にあるときに、前記第２の要素と前記第３の要素に対する法線を中心に変形させる請求項１８記載の画像処理方法。
【請求項２０】
コンピュータに請求項１８又は請求項１９に記載の処理ステップを実行させるためのプログラムを記録した記録媒体。
【請求項２１】
仮想空間に配置されるオブジェクトをある視点から捉えた画像を表示するゲーム画像表示方法であって、
第1のオブジェクトに対して、第２のオブジェクトが一方向に回転可能で逆方向に回転が制限されるように、前記仮想空間に前記第1及び第２のオブジェクトを配置するステップと、
前記第1及び第２のオブジェクトの間に、前記第２のオブジェクトの回転に伴って前記第1及び第２のオブジェクトの間に隙間が生じないように伸縮する伸縮オブジェクトを介在させるステップと、
前記第２のオブジェクトが第1のオブジェクトに対して回転したときに、前記第1及び第２のオブジェクトが成す角度の小さくなる側の前記伸縮オブジェクトの面積を、逆側の面積よりも大きくとるように、前記伸縮オブジェクトのデータを用意するステップと、を備えたゲーム画像処理方法。
【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
直列的に提供されるデータストリームのためのレジスタ格納先を選択する方法であって、
第１の組のレジスタ（５４，５５，５６）を提供する段階であって、該第１の組のレジスタはＮを有限の正の整数としてビット長さＮの第１のレジスタおよびＭを有限の正の整数でありかつＮがＭに等しくないものとしてビット長さＭの第２のレジスタを備えるもの、
第２の組のレジスタ（５１，５２，５３）を提供する段階であって、前記第２の組のレジスタはビット長さＮの第１のレジスタおよびビット長さＭの第２のレジスタを備えるもの、
イネーブル信号（１４）を提供する段階であって、該イネーブル信号は選択的にパルス化されて前記第１の組のレジスタ（５７）または前記第２の組のレジスタ（５９）のいずれか１つを選択可能であり、前記第１の組のレジスタまたは前記第２の組のレジスタの内の選択されたいずれか１つは選択された組のレジスタであり、そして
直列的に提供されるデータストリーム（１６）を提供する段階であって、前記直列的に提供されるデータストリーム内のビットの数が検出され、前記直列的に提供されるデータストリーム内のビットの数は前記直列的に提供されるデータストリームを含めるために書き込まれるべき前記選択された組のレジスタ内の選択されたレジスタを識別する（７２）もの、
を具備することを特徴とする直列的に提供されるデータストリームのためのレジスタ格納先を選択する方法。
【請求項２】
前記直列的に提供されるデータストリームを提供する段階は、
巡回シフトレジスタ（２０）を使用することにより前記直列的に提供されるデータストリーム内のビットの数を監視し、それによって前記直列的に提供されるデータストリームの入力シフトの後に、前記巡回シフトレジスタにおけるイネーブルされたビットの数が前記選択された組のレジスタ内の選択されたレジスタを決定する段階、
を具備することを特徴とする請求項１に記載の方法。
【請求項３】
直列的に提供されるデータストリームのためのレジスタ格納先を選択する方法であって、
複数のレジスタ（５７，５９）を提供する段階、
イネーブル信号（１４）を提供する段階であって、該イネーブル信号はある期間の間選択的にパルス化されて前記直列的に提供されるデータストリームが提供される前に２進シーケンスを提供するもの、
前記２進シーケンス（７２）を処理して前記複数のレジスタの内の選択されたレジスタ（５１〜５６）を決定する段階、
前記直列的に提供されるデータストリーム（１６）を提供する段階であって、前記イネーブル信号は前記直列的に提供されるデータストリームの受信を可能にするもの、そして
前記直列的に提供されるデータストリームを前記２進シーケンスによって選択される選択されたレジスタへと格納する段階、
を具備することを特徴とする直列的に提供されるデータストリームのためのレジスタ格納先を選択する方法。
【請求項４】
クロック信号（１２）を受けるための第１の入力、イネーブル信号（１４）を受けるための第２の入力、およびレジスタ選択信号を提供するための出力を有する監視回路（７２）、
前記イネーブル信号（１４）を受信しかつ少なくとも１つのバンク選択信号を提供するためのバンク選択回路（７４）であって、該バンク選択回路は複数のビット格納要素を備えるもの、
１つまたはそれ以上のバンク（５７，５９）へと構成された複数のレジスタ（５１〜５６）であって、該複数のレジスタにおける各レジスタは前記イネーブル信号、前記バンク選択回路からの前記少なくとも１つのバンク選択信号、および前記監視回路からの前記レジスタ選択信号の組合せによって選択されるもの、
データの直列ストリームを受けるためのデータ入力（１６）に結合されたデータ直列シフトレジスタ（４０）、そして
前記少なくとも１つのバンク選択信号および前記レジスタ選択信号を受けかつ少なくとも１つの格納制御信号を前記複数のレジスタに提供するための回路（３６〜３８）であって、前記複数のレジスタの内の１つのレジスタが前記データ直列シフトレジスタによって提供されるデータを格納するために選択されるもの、
を具備することを特徴とする回路。
【請求項５】
イネーブル信号（１４）を受けるためのレジスタ選択回路（７２）であって、前記イネーブル信号はデータ入力（１６）によってシリアルデータが提供される前に論理“１”および論理“０”の時間シリアルな２進シーケンスを提供し、前記論理“１”および論理“０”の時間シリアルな２進シーケンスは前記レジスタ選択回路によって処理されて複数のレジスタ格納イネーブル信号（３０の出力）を提供するもの、
データ入力に結合されて論理“１”および論理“０”の前記時間シリアルな２進シーケンスの後に生じる前記イネーブル信号のアクティブ状態に応じて前記データ入力からデータの直列ストリームを受けるためのシリアルシフトレジスタ（４０）、そして
前記シリアルシフトレジスタからデータを受けるよう結合されかつ前記複数のレジスタ格納イネーブル信号を受けるよう結合された複数のレジスタ（５１〜５６）であって、前記複数のレジスタ格納イネーブル信号の１つは論理“１”および論理“０”の時間シリアルな２進シーケンスに応答して前記レジスタ選択回路からイネーブルされそれによって前記シリアルシフトレジスタに格納されたデータの直列ストリームが前記複数のレジスタの内の選択されたレジスタに提供されるもの、
を具備することを特徴とする回路。
【手続補正書】
【提出日】平成16年10月27日(2004.10.27)
【手続補正１】
【補正対象書類名】明細書
【補正対象項目名】発明の名称
【補正方法】変更
【補正の内容】
【発明の名称】ソフトウェアの実行システム、実行システムプログラムを記録した記録媒体、およびソフトウェア実行方法
【手続補正２】
【補正対象書類名】明細書
【補正対象項目名】特許請求の範囲
【補正方法】変更
【補正の内容】
【特許請求の範囲】
【請求項１】
ネットワーク上で複数の参加者を相手に共通のソフトウェアを実行するソフトウェアの実行システムにおいて、
過去の参加状況データを格納する参加状況データ格納手段と、
前記過去の参加状況データに基づいて、前記共通のソフトウェアの今回の実行開始時刻を決定し、前記実行開始時刻を参加申込み時に前記各参加者に通知する実行開始時刻決定・通知手段と、
参加状況を監視し、前記参加状況データ格納手段の内容を更新する参加状況監視手段と、
前記実行開始時刻になると、前記ソフトウェアの実行を開始するメイン処理手段と、
を有することを特徴とするソフトウェアの実行システム。
【請求項２】
ネットワーク上で複数の参加者を相手に共通のソフトウェアを実行するソフトウェアの実行システムにおいて、
過去の参加状況データを格納する参加状況データ格納手段と、
前記過去の参加状況データに基づいて、前記共通のソフトウェアの今回の実行開始時刻を決定し、前記実行開始時刻を参加申込み時に前記各参加者に通知する実行開始時刻決定・通知手段と、
参加状況を監視し、前記参加状況データ格納手段の内容を更新する参加状況監視手段と、
前記実行開始時刻の一定時間前になると、前記ソフトウェアの実行を開始し、前記実行した結果データをメモリに格納するとともに、前記実行開始時刻になると、前記メモリ内の結果データを前記参加者側に提供するメイン処理手段と、
を有することを特徴とするソフトウェアの実行システム。
【請求項３】
ネットワーク上で複数の参加者を相手に共通のソフトウェアを実行するソフトウェアの実行システムにおいて、
前回以前の過去の参加状況データを蓄積して格納する参加状況データ格納手段と、
蓄積された前記過去の参加状況データに基づいて、前記共通のソフトウェアの今回の実行開始時刻を決定し、前記実行開始時刻を参加申込み時に前記各参加者に通知する実行開始時刻決定・通知手段と、
参加状況を監視し、前記参加状況データ格納手段の内容を更新する参加状況監視手段と、
前記実行開始時刻になると、前記ソフトウェアの実行を開始するメイン処理手段と、
を有することを特徴とするソフトウェアの実行システム。
【請求項４】
ネットワーク上で複数の参加者を相手に共通のソフトウェアを実行するための実行システムプログラムを記録した記録媒体において、
過去の参加状況データを格納する手段、
前記過去の参加状況データに基づいて、前記共通のソフトウェアの今回の実行開始時刻を決定し、前記実行開始時刻を参加申込み時に前記各参加者に通知する手段、
参加状況を監視し、前記参加状況データを更新する手段、
前記実行開始時刻になると、前記ソフトウェアの実行を開始する手段、
としてコンピュータを機能させるための実行システムプログラムを記録した記録媒体。
【請求項５】
ネットワーク上で複数の参加者を相手に共通のソフトウェアを実行するための方法であって、
コンピュータが、
記憶手段に記憶された過去の参加状況データに基づいて、前記共通のソフトウェアの今回の実行開始時刻を決定し、前記実行開始時刻を参加申込み時に前記各参加者に通知する通知ステップと、
参加状況を監視し、前記記憶手段に記憶された過去の参加状況データを更新する更新ステップと、
前記通知ステップで通知した実行開始時刻になると、前記ソフトウェアの実行を開始する開始ステップと
を実行することを特徴とするソフトウェア実行方法。
【手続補正書】
【提出日】平成16年10月20日(2004.10.20)
【手続補正１】
【補正対象書類名】明細書
【補正対象項目名】特許請求の範囲
【補正方法】変更
【補正の内容】
【特許請求の範囲】
【請求項１】
息の強さを検出するブレスセンサ、及び噛んだ強さを検出するアンブシャセンサを少なくとも備えた外部入力手段と本体とからなり、
この本体は、楽音を発生する音源手段と、外部入力手段の位置を検出する位置検出手段と、当該位置検出手段の検出結果及び前記外部入力手段が備えるセンサの検出結果に基づいて前記音源手段から発生する楽音を制御する制御手段と、を有する楽音発生装置。
【請求項２】
前記制御手段は、前記位置検出手段の検出結果及び前記外部入力手段が備えるセンサの検出結果の夫々を発生する楽音の発音条件を設定するためのパラメータに変換し、これらパラメータに基づいて前記音源手段を制御する音源制御手段を有する請求項１記載の楽音発生装置。
【請求項３】
前記制御手段は、前記位置検出手段の検出結果及び前記外部入力手段が備えるセンサの検出結果の少なくとも１つに基づいて発生する楽音の発音条件を設定するために予め用意されたパラメータを変更操作する操作入力手段を有する請求項１記載の楽音発生装置。
【請求項４】
前記予め用意されたパラメータは音色であり、前記位置検出手段の検出結果に基づいて音色を変更操作する請求項３記載の楽音発生装置。
【請求項５】
前記制御手段はさらに、前記操作入力手段により変更操作に用いた前記センサの検出結果以外のセンサの検出結果が所定の条件を満足した場合に前記操作入力手段の動作を有効とする有効制御手段を有する請求項３記載の楽音発生装置。
【請求項６】
前記有効制御手段は、前記外部入力手段が備えるセンサの検出結果の少なくとも１つが予め指定された閾値を超えた場合に前記操作入力手段の動作を有効とする請求項５記載の楽音発生装置。
【請求項７】
前記制御手段は、発生する楽音の発音条件を設定するために予め用意されたパラメータの値を表示する表示手段を有するとともに当該表示手段上に前記位置検出手段の検出結果に対応して表示位置が変更する表示体を表示し、
前記操作入力手段は、前記外部入力手段が備えるセンサの検出結果が所定の条件を満足しかつ前記表示体が予め指定された表示位置にある場合に前記パラメータの値を変更する請求項３記載の楽音発生装置。
【請求項８】
前記制御手段は、前記位置検出手段の検出結果及び前記外部入力手段が備えるセンサの検出結果の夫々を発生する楽音の発音条件を設定するためのパラメータに変換し、これらパラメータに基づいて前記音源手段を制御する音源制御手段と、前記位置検出手段の検出結果及び前記外部入力手段が備えるセンサの検出結果の少なくとも１つに基づいて発生する楽音の発音条件を設定するために予め用意されたパラメータを変更操作する操作入力手段と、前記音源制御手段及び操作入力手段のいずれか一方を選択して有効とする選択手段と、を有する請求項１記載の楽音発生装置。
【請求項９】
前記選択手段は、前記外部入力手段が予め設定された領域にあるか否かを判定し、領域内にあると判定された場合は前記操作入力手段を選択して有効とし、領域内にないと判定された場合は前記音源制御手段を選択して有効とする請求項８記載の楽音発生装置。
【請求項１０】
前記選択手段は、前記発生する楽音の音高を指定する操作子群が操作されている場合には前記音源制御手段を選択して有効とする請求項８記載の楽音発生装置。
【手続補正２】
【補正対象書類名】明細書
【補正対象項目名】０００６
【補正方法】変更
【補正の内容】
【０００６】
【課題を解決するための手段】
本発明の楽音発生装置は、息の強さを検出するブレスセンサ、及び噛んだ強さを検出するアンブシャセンサを少なくとも備えた外部入力手段と本体とからなり、この本体は、楽音を発生する音源手段と、外部入力手段の位置を検出する位置検出手段と、位置検出手段の検出結果及び前記外部入力手段が備えるセンサの検出結果に基づいて音源手段から発生する楽音を制御する制御手段と、を具備する。
【手続補正３】
【補正対象書類名】明細書
【補正対象項目名】０００７
【補正方法】変更
【補正の内容】
【０００７】
そして上記の構成において、制御手段は、位置検出手段の検出結果及び外部入力手段が備えるセンサの検出結果の夫々を発生する楽音の発音条件を設定するためのパラメータに変換し、これらパラメータに基づいて前記音源手段を制御する音源制御手段を有することが望ましい。
【手続補正４】
【補正対象書類名】明細書
【補正対象項目名】０００８
【補正方法】変更
【補正の内容】
【０００８】
また、制御手段は、位置検出手段の検出結果及び外部入力手段が備えるセンサの検出結果の少なくとも１つに基づいて発生する楽音の発音条件を設定するために予め用意されたパラメータを変更操作する操作入力手段を有することが望ましい。この場合、予め用意されたパラメータは音色であり、前記位置検出手段の検出結果に基づいて音色を変更操作するようにしてもよい。
さらに制御手段は、操作入力手段により変更操作に用いたセンサの検出結果以外のセンサの検出結果が所定の条件を満足した場合に操作入力手段の動作を有効とする有効制御手段を有することが望ましい。この場合、有効制御手段は、外部入力手段が備えるセンサの検出結果の少なくとも１つが予め指定された閾値を超えた場合に前記操作入力手段の動作を有効とすることが望ましい。
また、制御手段は、発生する楽音の発音条件を設定するために予め用意されたパラメータの値を表示する表示手段を有するとともに表示手段上に位置検出手段の検出結果に対応して表示位置が変更する表示体を表示し、操作入力手段は、外部入力手段が備えるセンサの検出結果が所定の条件を満足しかつ前記表示体が予め指定された表示位置にある場合に前記パラメータの値を変更することが望ましい。
【手続補正５】
【補正対象書類名】明細書
【補正対象項目名】０００９
【補正方法】変更
【補正の内容】
【０００９】
また、制御手段は、位置検出手段の検出結果及び外部入力手段が備えるセンサの検出結果の夫々を発生する楽音の発音条件を設定するためのパラメータに変換し、これらパラメータに基づいて音源手段を制御する音源制御手段と、位置検出手段の検出結果及び外部入力手段が備えるセンサの検出結果の少なくとも１つに基づいて発生する楽音の発音条件を設定するために予め用意されたパラメータを変更操作する操作入力手段と、音源制御手段及び操作入力手段のいずれか一方を選択して有効とする選択手段と、を有することが望ましい。ここで、選択手段は、外部入力手段が予め設定された領域にあるか否かを判定し、領域内にあると判定された場合は操作入力手段を選択して有効とし、領域内にないと判定された場合は音源制御手段を選択して有効とするようにしてもよい。また、選択手段は、発生する楽音の音高を指定する操作子群が操作されている場合には音源制御手段を選択して有効とするようにしてもよい。
【手続補正６】
【補正対象書類名】図面
【補正対象項目名】図５
【補正方法】変更
【補正の内容】
【図５】
1998198365.tif 000001
【手続補正書】
【提出日】平成17年11月7日(2005.11.7)
【手続補正１】
【補正対象書類名】明細書
【補正対象項目名】００２０
【補正方法】変更
【補正の内容】
【００２０】
図１は、本発明の好適実施形態におけるＡＴＭセルのフォーマット図である。このＡＴＭセル１０は、例えば５３バイトから成り、図１（Ａ）に示す如く、このＡＴＭセル１０は、４バイトの第１メモリ部用データ１１、１バイトの第２メモリ部用データ１２、１６バイトの第３メモリ部用データ１３および３２バイトの第４メモリ部用データ１４に分割される。そして、ＡＴＭセルの５バイトのヘッダを第１メモリ部１１１および第２メモリ部１１２に格納し、４８バイトの情報（ペイロード）を第３メモリ部１１３および第４メモリ部１１４に格納するよう構成している。
【手続補正２】
【補正対象書類名】明細書
【補正対象項目名】００２１
【補正方法】変更
【補正の内容】
【００２１】
図１（Ｂ）は、第１メモリ部１１１の詳細構成を示す。図１（Ｃ）は、第２メモリ部１１２の詳細構成を示す。図１（Ｄ）は、第３メモリ部１１３の詳細構成を示す。また、図１（Ｅ）は、第４メモリ部１１４の詳細構成を示す。図１（Ｂ）〜（Ｅ）に示す如く、第１メモリ部１１１〜第４メモリ部１１４には、それぞれ４バイト、１バイト、１６バイトおよび３２バイトの複数のメモリを含んでいる。そして、順次入力されるＡＴＭセルをこれらメモリの順次のアドレスに格納する。
【手続補正３】
【補正対象書類名】明細書
【補正対象項目名】００２４
【補正方法】変更
【補正の内容】
【００２４】
次に、図２は、図１に示す本発明におけるＡＴＭセル１０の第１メモリ部１１１〜第４メモリ部１１４に入力されるＡＴＭセルを格納（又は書き込み）するアドレス生成部２０の構成図である。このアドレス生成部２０は、バイト（Byte）カウンタ２１、セクション（Section）カウンタ２２、セル(Cell)カウンタ２３およびデコーダ(DEC)２４により構成される。
【手続補正４】
【補正対象書類名】明細書
【補正対象項目名】００２９
【補正方法】変更
【補正の内容】
【００２９】
次に、図４は、ＡＴＭセルを構成するメモリ部１１１〜１１４の読み出し側の構成を示す。読み出し側は、基本的に書き込み側と同様構成であり、同様に動作する。即ち、縦続接続されたバイトカウンタ３１、セクションカウンタ３２、およびセルカウンタ３３の３個のカウンタとセレクタ（SEL）３４により構成される。そして、セクションカウンタ３２の出力信号が、セレクタ３４に入力される。セレクタ３４は、セクションカウンタ３２の値が「０」の場合に、第１メモリ部１１１を選択する。一方、「１」〜「３」の場合に、それぞれ第２メモリ部１１２〜第４メモリ部１１４を選択する。
【手続補正５】
【補正対象書類名】明細書
【補正対象項目名】図面の簡単な説明
【補正方法】変更
【補正の内容】
【図面の簡単な説明】
【図１】
本発明の好適実施形態におけるＡＴＭセルのフォーマット図である。
【図２】
本発明の実施形態における書き込み回路の構成図である。
【図３】
図２に示す実施形態における書き込み動作を説明するタイミングチャートである。
【図４】
本発明の実施形態における読み出し回路の構成を示す図である。
【図５】
図４に示す実施形態における読み出し動作を説明するタイミングチャートである。
【図６】
本発明の他の実施形態の構成および動作説明図である。
【図７】
メモリマッピングの第１従来例である。
【図８】
メモリマッピングの第２従来例である。
【符号の説明】
１０  ＡＴＭセル
１１  第１メモリ部用データ
１２  第２メモリ部用データ
１３  第３メモリ部用データ
１４  第４メモリ部用データ
１１１  第１メモリ部
１１２  第２メモリ部
１１３  第３メモリ部
１１４  第４メモリ部
２０  書き込みアドレス生成部
２１、３１  バイトカウンタ
２２、３２  セクションカウンタ
２３、３３  セルカウンタ
２４  デコーダ
３４  セレクタ